(57)【要約】【課題】  本発明は、光ファイバケーブルが、様々な方向から外装ケースに達する場合にも、光ファイバケーブルから口出しされた光ファイバを外装ケースに収納することができることを目的とする。【解決手段】  本発明は、光ファイバケーブル８端末から口出しされている光ファイバ８ａを収容し、光ファイバまたは光ファイバに光接続された光ファイバ９を、他の光ファイバ３１に対して接続可能に成端する光コネクタ７が取り付けられているコネクタ取付壁４２を有する外装ケース４と、光ファイバケーブル端末が固定されるケーブル固定部３と、外装ケースに設けられ、ケーブル固定部が取り付けられる固定部取付部５と、を備え、ケーブル固定部は、光ファイバケーブル端末が固定される固定面１４を有しており、固定面１４の向きを、鉛直方向に対して変更できることを特徴とする光成端箱１である。【選択図】  図１
2005078033.tif 000002
【特許請求の範囲】
【請求項１】
光ファイバケーブル（８）端末から口出しされている光ファイバ（８ａ）を収容し、該光ファイバまたは該光ファイバに光接続された光ファイバ（９）を、他の光ファイバ（３１）に対してコネクタ接続可能に成端する光コネクタ（７）が取り付けられているコネクタ取付壁（４２）を有する外装ケース（４）と、
光ファイバケーブル端末が固定されるケーブル固定部（３）と、
前記外装ケースに設けられ、前記ケーブル固定部が取り付けられる固定部取付部（５、４５）と、を備え、
前記ケーブル固定部は、前記光ファイバケーブル端末が固定される固定面（１４）を有しており、前記固定部取付部に対する取り付け向きの選択によって、前記固定面の向きを、鉛直方向に対して変更できるようになっていることを特徴とする光成端箱（１）。
【請求項２】
前記ケーブル固定部は、前記固定部取付部に対する取り付け向きの選択によって、前記固定面の向きを、鉛直方向に沿った向きと水平方向に沿った向きの何れか一方とすることができることを特徴とする請求項１に記載された光成端箱。
【請求項３】
前記固定部取付部は、前記ケーブル固定部が取り付けられる、軸状あるいは断面リング状の回転用取付部材であり、
前記ケーブル固定部が、前記回転用取付部材に対する該回転用取付部材の中心軸回りの回転によって、前記固定面の向きを設定できるようになっていることを特徴とする請求項１または２に記載された光成端箱。
【請求項４】
前記固定部取付部が、前記外装ケースから該外装ケースの外側に延出されたパイプであり、該パイプの前記外装ケースから外側への延出方向先端に前記ケーブル固定部が取り付けられており、前記ケーブル固定部に固定された光ファイバケーブル端末から口出しされている光ファイバが、前記パイプを介して前記外装ケース内に引き込まれるようになっていることを特徴とする請求項１又は２に記載された光成端箱。
【発明の詳細な説明】
【技術分野】
【０００１】
本発明は、光ファイバケーブル端末から口出しされている光ファイバを収容する外装ケースを備え、外装ケースの側部に、前記光ファイバまたは該光ファイバに光接続された光ファイバを、他の光ファイバに対してコネクタ接続可能に成端する光コネクタが取り付けられているコネクタ取付壁を有する光成端箱に関する。
【背景技術】
【０００２】
従来から、光ファイバケーブルの光ファイバをコネクタ接続可能に成端する光成端箱としては、光ファイバケーブル端末から口出しされている光ファイバを収容する外装ケースの側部に、前記光ファイバをコネクタ接続可能に成端する光コネクタ（光コネクタアダプタ）が取り付けられているコネクタ取付壁を有する構造のものが広く採用されている（例えば、特許文献１、２）。
【特許文献１】特開平９−１１３７３８号公報
【特許文献２】特開平１１−１６７０２９号公報
【０００３】
このような光成端箱としては、光ファイバケーブル端末を外装ケースに固定するケーブル固定部を有する構造が一般的である。例えば、図７に示す光成端箱５０は、水平設置型の光成端箱であり、ラックへの搭載あるいは治具による床上固定等により、図７紙面奥行方向が上下方向となるようにして設置されるものである。図７は、この光成端箱５０の内部構造を示す平断面図である。図７において、この光成端箱５０は、光コネクタ５８b（ここでは、光コネクタアダプタ）を支持するコネクタ取付壁５２を一端部に有する外装ケース５３の、前記一端部に対して反対側（他端部）における左右両側に、光ファイバケーブル５４端末を固定するケーブル固定部５５を備えている。
ここで、前記ケーブル固定部５５は、光ファイバケーブル５４端末を把持固定するための把持部品５３ａと、光ファイバケーブル５４端末から突出状態に露出されたテンションメンバ５４ａを固定するテンションメンバ固定部５５ｂとを有する構成であり、外装ケース５３において、前記コネクタ取付壁５２に対向する後壁５６のケーブル穴（図示略）から外装ケース５３内に引き込まれた光ファイバケーブル５４端末を所定向きで固定する。なお、図７中、符号５７は、外装ケース５３用に設置されている余長収納トレイであり、光ファイバケーブル５４端末から口出しされた光ファイバ５４ｂ（光ファイバ心線等）と、外装ケース５３内に収容されているコネクタ付光ファイバ５８との接続部５９（ここでは融着接続部）および、光ファイバ５４ｂ、５８の余長を収納する。コネクタ付光ファイバ５８は、一端が光コネクタ５８ａ（光コネクタプラグ）によってコネクタ成端されている光ファイバであり、光ファイバケーブル５４の光ファイバ５４ｂは、コネクタ付光ファイバ５８の他端に接続（ここでは融着接続）され、コネクタ付光ファイバ５８の光コネクタ５８ａによって、コネクタ取付壁５２の複数の光コネクタアダプタ５８bに対して、選択的に、外装ケース５３内側から接続されることで、光成端箱５０の外部の光ファイバ６０（光コネクタ６０ａ（光コネクタプラグ）によって成端されている光ファイバ）に対して、コネクタ接続可能に成端される。この光成端箱５０では、左右に対向配置しているケーブル固定部５５の内、外装ケース５３への光ファイバケーブル５４端末の引き込み作業性の確保に有利な方を選択使用するようになっている。
また、図８（ａ）、（ｂ）に示す光成端箱は、外装ケース５３の他端部（図８（ａ）、（ｂ）上側）におけるケーブル固定部６１（ケーブル固定部品）の取り付け位置を、光他端部における左右のいずれか一方に、選択的に設定できる。
また、図８（ａ）、（ｂ）に示す光成端箱では、外装ケース５３の他端部の左右に、ケーブル固定部６１を取り付けるための固定部品取付台部６２Ａ、６２Ｂ（外装ケース５３において、ケーブル固定部６１を取り付けるためのネジ穴６３、６４等が設けられている領域）が配置されているが、左側の固定部品取付台部６２Ａにケーブル固定部６１を取り付けたときの該ケーブル固定部６１における光ファイバケーブル５４の固定向き（引き込み方向）右側の固定部品取付台部６２Ｂにケーブル固定部６１を取り付けるときの該ケーブル固定部６１における光ファイバケーブル５４端末の固定向き（引き込み方向）とは平行ではないため、ケーブル固定部６１を取り付ける固定部品取付台部６２Ａ、６２Ｂの選択によって、外装ケース５３に対する光ファイバケーブル５４端末の引き込み方向を選択できる。
なお、この光成端箱は、固定部品取付台部６２Ａ、６２Ｂに対して、ケーブル固定部６１を選択的に取り付けることができる点以外は、図７に示した光成端箱と同様の構成であり、また、水平設置型である点も同様である。
【発明の開示】
【発明が解決しようとする課題】
【０００４】
しかしながら、上記従来技術においては、何れも、光成端箱に対する光ファイバケーブル端末の様々な引き込み方向に幅広く対応し得るものでは無く、例えば、光成端箱の周囲において、該光成端箱に引き込む光ファイバケーブルの引き回しに制約がある場合などでは、光ファイバケーブル端末の固定を無理無く行えるようにするために、光成端箱の設置向きの変更を余儀なくされるといったケースも生じていた。また、特に水平設置型の光成端箱の場合は、光成端箱への光ファイバケーブルの種々の引き込み方向に対応するとは言っても、例えば、前述の図６、７に例示した光成端箱は、光ファイバケーブル端末を固定するためのケーブル固定部の選択、あるいは、外装ケースの固定部品取付台部に対するケーブル固定部の選択的な取り付けによって、外装ケースに対して水平（あるいはほぼ水平）に引き込まれる光ファイバケーブルの引き込み方向、及び、固定向きを選択できるようになっているに過ぎず、例えば、上または下からの光ファイバケーブルの引き込みにも対応して光ファイバケーブル端末の固定を実現できるというものではない。これに対応して、例えば、水平引き込み用のケーブル固定部と垂直引き込み（上または下からの引き込み）用のケーブル固定部とを併設することも考えられるが、これでは、ケーブル固定部に無駄が大きくなったり、外装ケース内での光ファイバの引き回しが複雑になる等の新たな問題発生が懸念され、コストも高くなることから、到底、根本的な問題解決には至らない。
【０００５】
本発明は、上記問題点に鑑みてなされたものであり、簡単かつ低コストで光ファイバケーブル端末の様々な引き込み方向に幅広く対応できるようにした光成端箱を提供することを目的とする。
【課題を解決するための手段】
【０００６】
以上の目的を達成するため、本発明は、光ファイバケーブル端末から口出しされている光ファイバを収容し、該光ファイバまたは該光ファイバに光接続された光ファイバを、他の光ファイバに対してコネクタ接続可能に成端する光コネクタが取り付けられているコネクタ取付壁を有する外装ケースと、光ファイバケーブル端末が固定されるケーブル固定部と、前記外装ケースに設けられ、前記ケーブル固定部が取り付けられる固定部取付部と、を備え、前記ケーブル固定部は、前記光ファイバケーブル端末が固定される固定面を有しており、前記固定部取付部に対する取り付け向きの選択によって、前記固定面の向きを、鉛直方向に対して変更できるようになっていることを特徴とする光成端箱である。
【０００７】
また、本発明は、前記ケーブル固定部は、前記固定部取付部に対する取り付け向きの選択によって、前記固定面の向きを、鉛直方向に沿った向きと水平方向に沿った向きの何れか一方とすることができる構成も採用可能である。
【０００８】
また、本発明は、前記固定部取付部は、前記ケーブル固定部が取り付けられる、軸状あるいは断面リング状の回転用取付部材であり、前記ケーブル固定部が、前記回転用取付部材に対する該回転用取付部材の中心軸回りの回転によって、前記固定面の向きを設定できるようになっている構成も採用可能である。
【０００９】
また、本発明は、前記固定部取付部が、前記外装ケースから該外装ケースの外側に延出されたパイプであり、該パイプの前記外装ケースから外側への延出方向先端に前記ケーブル固定部が取り付けられており、前記ケーブル固定部に固定された光ファイバケーブル端末から口出しされている光ファイバが、前記パイプを介して前記外装ケース内に引き込まれるようになっている構成も採用可能である。
【発明の効果】
【００１０】
以上の説明のように、本発明によれば、ケーブル固定部は、光ファイバケーブル端末が固定される固定面を有しており、固定部取付部に対する取り付け向きの選択によって、鉛直方向に対する固定面の向きを設定できるようになっているので、光ファイバケーブル端末が、様々な方向から光成端箱に達する場合にも、光ファイバケーブル端末のケーブル固定部に対する固定作業性を確保できる。
【発明を実施するための最良の形態】
【００１１】
以下、本発明の実施の形態を図面を参照して説明する。
【００１２】
図１〜４は、本発明の実施の形態の光成端箱１を示す図であり、図１は、光成端箱１の概略正面図であり、図２は、その概略平面図であり、図３および図４は、光ファイバケーブル８端末４が固定されるケーブル固定部３の詳細斜視図である。尚、図３、４は、いずれも、光成端箱１の外装ケース４に取り付けられている固定部取付部（回転用取付部材。ここではパイプであり、以下、パイプと称して説明する場合がある。）５に対し、ケーブル固定部３を固定した状態を示すものであるが、図３と図４とでは、パイプ５に対するケーブル固定部３の取り付け向きが、パイプ５の中心軸線回り（つまり、パイプ５の周方向）に異なっている。
【００１３】
図１、図２に示すように、本発明に係る光成端箱１は、成端箱本体６と、この成端箱本体６の固定部取付部（パイプ）５に取り付けられるケーブル固定部３とを有している。成端箱本体６は、ボックス状の外装ケース４の内部に、余長収納ケース（符号７）等を収容した構成になっている。
図１、図２に示す前記外装ケース４は、ベースプレート４１と、このベースプレート４１に固定して該ベースプレート４１上に立設されたコネクタ取付壁４２と、前記余長収納ケース７等を外側から覆うようにして、ベースプレート４１に取り付けられる、着脱自在のカバー４３、とを有する構造であるが、本発明に係る光成端箱の外装ケースとしてはこれに限定されず、各種構成のものを採用できる。
【００１４】
前記コネクタ取付壁４２は、外装ケース４の一端部（前壁）を構成するものであり、このコネクタ取付壁４２には光コネクタ４４（ここでは、光コネクタアダプタであり、以下、この光コネクタを光コネクタアダプタと称する場合がある）が複数取り付けられている。
図１、図２に例示した光成端箱１は、いわゆる水平設置型の光成端箱であり、ラックに搭載することなどによって、前記ベースプレート４１がほぼ水平となる向きで設置される。但し、本発明に係る光成端箱は、水平設置型に限定されず、その設置向きに、特には限定は無い。
【００１５】
外装ケース４のコネクタ取付壁４２と対向する他端部を構成する後壁４４には、前記パイプ５が貫通されている。前記パイプ５は、固定部品４８によって外装ケース４（具体的にはベースプレート４１）に固定されている。図１、図２では、ベースプレート４１に固定して外装ケース４内に設置されている固定部品４８によって、パイプ５の前記外装ケース４内に収納されている部分（一端部）を外装ケース４に固定しているが、外装ケース４にパイプ５を固定するための固定部品としては、必ずしも図１、図２に示した通りである必要は無く、例えば、外装ケース４の後壁４４に固定したものや、外装ケース４の他端側においてベースプレート４１から外装ケース４の外側に突設された取付台に固定したもの等であっても良い。
なお、外装ケース４としては、必ずしも後壁４４を有している構成である必要は無く、コネクタ取付壁４３と対向する他端側が開放されている構成であっても良い。
【００１６】
パイプ５の、外装ケース４外側に突出されている部分の端部（突出端部。以下、「他端部５ａ」と称する場合がある）には、前記ケーブル固定部３が固定されている。ケーブル固定部３には、光ファイバケーブル８端末が、インシュロックタイ等のケーブル固定部材１７（図３参照）などを用いて固定されるようになっている。
図１、図２に示した光成端箱１では、ケーブル固定部３に固定されている光ファイバケーブル８端末から延出（口出し）されている光ファイバ８ａが、パイプ５を介して成端箱本体６に引き込まれている。パイプ８は、外装ケース４の外部から外装ケース４内に、光ファイバ８ａを引き込むための導管としても機能している。
外装ケース４内に引き込まれた前記光ファイバ８ａの先端には、光ファイバ（以下、成端光ファイバとも言う）９が融着接続等によって接続されており、光ファイバ８ａ、９同士の接続部１０が光ファイバ８ａ、９の余長とともに、外装ケース４内の余長収納トレー４７に収納されている。
なお、接続部１０は、光ファイバ８ａ、９同士を融着接続した融着接続部に限定されず、例えば、光コネクタによるコネクタ接続等であっても良い。
【００１７】
成端光ファイバ９は、光ファイバケーブル８側の光ファイバ８ａと接続される一端とは逆の他端が光コネクタ９ａ（光コネクタプラグ）によってコネクタ接続可能に成端されている光ファイバである。この成端光ファイバ９先端の光コネクタ９ａは、外装ケース４内側から光コネクタアダプタ４４に対して着脱可能に接続されている。光コネクタアダプタ４４には、外装ケース４の外部の光ファイバ（以下、外部光ファイバとも言う）３１の、光コネクタ３１ａ（光コネクタプラグ）によってコネクタ接続可能に成端された先端が、外装ケース４外側から着脱可能に接続されるようになっており、光コネクタアダプタ４４に光ファイバ３１先端の光コネクタ３１ａを挿入接続すると、前記成端光ファイバ９先端の光コネクタ９ａと外部光ファイバ３１先端の光コネクタ３１ａとが光コネクタアダプタ４４内で接続されることで、光ファイバ９、３１同士が光接続される。これにより、外部の光ファイバ３１が、成端光ファイバ９を介して、光ファイバケーブル８の光ファイバ８ａと光接続される。
【００１８】
光コネクタアダプタ４４と、成端光ファイバ９先端の光コネクタ９ａとは、光コネクタ９ａを光コネクタアダプタ４４に外装ケース４内側から挿入接続した状態で、光ファイバケーブル８の光ファイバ８ａを、外装ケース４外側の光ファイバ３１（外部光ファイバ）に対してコネクタ接続可能に成端する光コネクタ（符号７）を構成する。図２に例示した光成端箱１では、コネクタ取付壁４２に、複数の光コネクタ７が配列されており、外部光ファイバ３１先端の光コネクタ３１ａの光コネクタ７に対する切替接続によって、光ファイバケーブル８側の光ファイバ８ａに対する光ファイバ３１の切替接続を実現できる。光コネクタ７としては、特に限定はなく、例えば、光コネクタレセプタクル等であっても良い。
【００１９】
なお、光ファイバケーブル８の光ファイバ８ａ、成端光ファイバ９、光ファイバ３１（外部光ファイバ）は、多心あるいは単心の光ファイバであり、例えば、光ファイバ心線、光ファイバ素線、光ファイバコード等、各種構成を採用できる。また、成端光ファイバ９先端の光コネクタ９ａ、及び、光ファイバ３１先端の光コネクタ３１ａは、多心あるいは単心の光コネクタプラグであり、特に限定は無い。単心用光コネクタとしては、例えばＳＣ形光コネクタ（ＳＣ：Single fiberCoupling optical fiber connector。ＪＩＳ  Ｃ  ５９７３に制定されるＦ０４形光コネクタ等）など、多心用光コネクタとしては、例えばＭＰＯ形光コネクタ（ＭＰＯ:Multifiber  Push-On。ＪＩＳ  Ｃ  ５９８２に制定されるＦ１３形光コネクタ等）などを採用できる。
【００２０】
図３、図４において、ケーブル固定部３は、プレート状の固定部本体１１に、該固定部本体１１に対して光ファイバケーブル８端末を固定するケーブル固定手段が設けられた構成になっている。このケーブル固定部３には、ケーブル固定手段として、具体的には、光ファイバケーブル８端末（特に、外装被覆（外皮）が存在する部分）をケーブル固定部３に固定するための端末固定部１２と、光ファイバケーブル８に収納されているテンションメンバ８ｂ（鋼線）の光ファイバケーブル８端末から延出された部分を固定するためのテンションメンバ固定部１３とが設けられている。
【００２１】
固定部本体１１は、光ファイバケーブル８端末が固定される固定面１４を有している。固定面１４は、具体的には、プレート状の固定部本体１１の片面であり、この固定面１４には、ケーブル固定手段によって固定部本体１１に固定される光ファイバケーブル８端末を、複数本（図３、図４では６本）、横並びに配列させて固定できるようになっている。この実施形態のケーブル固定部３では、端末固定部１２とテンションメンバ固定部１３の対が複数設けられており、複数本の光ファイバケーブル８端末を固定面１４に横並びに配列させて固定できる。
【００２２】
なお、この実施形態では、ケーブル固定部３は、例えばインシュロックタイ等の固定手段を用いて、固定部本体１１をパイプ５の他端部５ａの外周面に向かって押さえ付けるようにして固定されるようになっている。以下、ケーブル固定部３及び固定部本体１１について、パイプ他端部５ａの中心軸線に沿った方向を「横方向」、この横方向に対して直交する方向（固定部本体１１の厚さ方向に対しても直交する方向）を「縦方向」として、説明することとする。
固定部本体１１の固定面１４に固定される光ファイバケーブル８端末は、中心軸線方向（換言すればテンションメンバ８ｂの方向）が縦方向（あるいは縦方向に沿った方向）になる向きで、固定面１４に固定される。固定面１４には、光ファイバケーブル８端末を、横方向に複数、横並びに配列状態として固定できる。
【００２３】
固定部本体１１の横方向両端部には、該固定部本体１１にパイプ５の端部（他端部５ａ）を固定するインシュロックタイ等のワイヤ状固定具１７を通すための孔１６（固定部本体１１を貫通する貫通孔）が穿設されている。固定部本体１１の横方向両端部は、パイプ５を固定するためのパイプ固定台部１５として機能する。ケーブル固定部３は、横方向を、パイプ他端部５ａの中心軸線方向（および、その延長）に沿わせた向きで、パイプ他端部５ａに固定される。また、固定部本体１１の横方向一方の端部をパイプ他端部５ａに固定することで、ケーブル固定部３は、パイプ他端部５ａ先端から、パイプ５の中心軸線の延長上に沿って延出するように設けられる。また、ケーブル固定部３は、固定面１４の側をパイプ５に向け、固定面１４をパイプ５外周面に押し付けるようにしてパイプ他端部５ａに固定される。
パイプ固定台部１５に固定されるパイプ他端部５ａは、該パイプ固定台部１５において、縦方向に間隔をおいて固定部本体１１から固定面１４上に立ち上げるようにして突設されている一対の突片１８の間に配置されるようになっており、ワイヤ状固定具１７を用いた固定作業を行う際に、一対の突片１８が、固定部本体１１のパイプ他端部５ａに対する位置ズレ防止の機能を果たして、固定作業を効率良く行える利点がある。
【００２４】
ワイヤ状固定具１７を用いて、パイプ固定台部１５にパイプ他端部５ａを固定するには、前記孔１６を利用して、固定部本体１１の一部（パイプ固定台部１５の一部）及びパイプ５に外側から巻き掛けたワイヤ状固定具１７によって、固定部本体１１の一部（パイプ固定台部１５の一部）とパイプ５とを結束するようにして、パイプ固定台部１５とパイプ他端部５ａとを固定する。なお、図３では、パイプ固定台部１５に穿設されている二つの孔１６に通したワイヤ状固定具１７によって、パイプ固定台部１５において前記二つの孔１６の間に位置する部分をパイプ他端部５ａと結束するようにして固定する構成を例示したが、パイプ固定台部としては、ワイヤ状固定具１７によってパイプ他端部５ａと結束するようにして固定できる構成であれば良く、例えば、固定部本体１１の横方向両端部の打ち抜きあるいは切断加工等によって形成された突部をパイプ固定台部として機能させた構成等も採用できる。
【００２５】
前記パイプ５は、ここでは、ゴムあるいは合成樹脂等によって充分な可撓性を有しているもの（可撓管）であるが、可撓性を有していない硬質の材料（例えば、金属や硬質の樹脂等）によって形成されたものであっても良い。可撓管の場合、パイプ５の他端部５ａには、ワイヤ状固定具１７によるケーブル固定部３の固定に支障が無い程度の剛性が確保される必要があり、例えば、他端部５ａに、金属等の硬質の材料によって形成されたリングを装着した構成等も採用可能である。
なお、図３、図４では、パイプ５外周面に固定部本体１１（詳細にはパイプ固定台部１５）を直接当接させてインシュロックタイで固定した構成を例示したが、パイプ５と固定部本体１１との間に、スペーサ（例えばパイプ５の外周面の一部と面接触する湾曲面によって、パイプ５を受ける受け部材など）等の部材を介挿しておいても良い。また、パイプ５の他端部５ａにケーブル固定部３を固定するための固定手段としては、前述したワイヤ状固定具１７に限定されず、例えば、パイプ５の他端部５ａをケーブル固定部３の固定部本体１１と、クランプ用の部材との間に挟み込むクランプ機構や、固定部本体１１上に設けられた把持機構によってパイプ５の他端部５ａを固定することで、固定部本体１１をパイプ５の他端部５ａに固定する構成等、各種採用可能である。
【００２６】
図３、図４において、端末固定部１２は、光ファイバケーブル８端末を、インシュロックタイ等のワイヤ状固定具１９を用いてケーブル固定部３に固定するために、固定部本体１１を加工した部分であり、具体的には、固定部本体１１の打ち抜き加工等によって、ワイヤ状固定具１９によって光ファイバケーブル８端末とともに結束するようにして光ファイバケーブル８端末と固定される固定用突起２０が複数形成された領域である。図３、図４において、符号２１は、固定部本体１１に形成された穴（窓）であり、各固定用突起２０は、前記穴２１に突出する形状になっている。また、前記穴２１は、固定部本体１１の縦方向一方の端部において該固定部本体１１の横方向に細長く延在する形状であり、端末固定部１２に形成された固定用突起２０は、間隔をおいて、横方向に複数横並びに配列されている。これにより、端末固定部１２には、複数本の光ファイバケーブル８の端末を配列状態に固定できるようになっている。なお、穴２１は、ワイヤ状固定具１９を固定部本体１１に対して該固定部本体１１の厚さ方向に貫通させて固定用突起２０に巻き回すための挿通用空間として機能する。
なお、固定用突起２０は、必ずしも、固定部本体１１に形成された穴２１に突出する形状のものである必要は無く、例えば、固定部本体１１の端部に突出する形状のものなどであっても良い。
また、ケーブル固定部３に光ファイバケーブル８端末を固定する端末固定部としては、ワイヤ状固定具１９を利用して光ファイバケーブル８端末を固定する構成のものに限定されず、例えば、光ファイバケーブル８端末と固定部本体１１とを２つ部材の間に挟み込むようにして固定する構成（２つの部材をボルト締めすること等によって、固定を実現する構成）や、固定部本体１１に設けられた把持機構によって光ファイバケーブル８端末を把持固定する構成等、各種採用可能である。
【００２７】
テンションメンバ固定部１３は、固定部本体１１の縦方向の他方の端部（固定部本体１１の縦方向において、端末固定部１２が設けられている「縦方向一方の端部」とは逆の側の端部）に設けられたテンションメンバ固定台２２に、光ファイバケーブル８端末から延出されているテンションメンバ８ｂをネジ２３によって固定する構造になっている。テンションメンバ固定台２２は、具体的には、金属等の充分な剛性を有する材料によって形成された細長形状の部材であり、固定部本体１１の縦方向他方の端部において、該固定部本体１１の横方向に沿って延在するようにして、固定部本体１１に固定されている。
ケーブル固定部３では、光ファイバケーブル８端末をワイヤ状固定具１９を用いて端末固定部１２に固定するとともに、光ファイバケーブル８端末から延出されているテンションメンバ８ｂをテンションメンバ固定台２２に固定することで、光ファイバケーブル端末８がしっかりと固定されるようになっている。
【００２８】
なお、図３、図４に例示したテンションメンバ固定部１３は、具体的には、このケーブル固定部３に固定される光ファイバケーブル８の端末から延出されているテンションメンバ８ｂが、固定部本体１１の縦方向一方の端部の側から挿入されるテンションメンバ挿入孔２４を有するテンションメンバ固定台２２を採用しており、前記テンションメンバ挿入孔２４にテンションメンバ８ｂを挿入して、テンションメンバ固定台２２に前記ネジ２３をねじ込めば、テンションメンバ挿入孔２４内のテンションメンバ８ｂが、前記ネジ２３によって側圧を受けて、テンションメンバ挿入孔２４内で固定される構造であるが、テンションメンバ固定部としては、テンションメンバを強固に固定できる構造であれば良く、様々な構成を採用できる。
【００２９】
ケーブル固定部３においては、光ファイバケーブル８端末は、光ファイバ８ａが口出しされている口元を、端末固定部１２とテンションメンバ固定部１３との間に配置して、固定部本体１１に対して固定される。光ファイバ８ａは、固定面１４上での引き回しによって、光ファイバケーブル８端末の口元からパイプ他端部５ａのパイプ開口部まで引き込み配線される。固定面１４上にて、端末固定部１２とテンションメンバ固定部１３との間の領域を、光ファイバ８ａの引き回し用の配線領域２５として機能させ、この配線領域２５に、光ファイバケーブル８端末の口元とパイプ他端部５ａのパイプ開口部との間に配線される光ファイバ８ａを集合させることができるため、光ファイバ８ａが、端末固定部１２やテンションメンバ固定部１３での光ファイバケーブル８端末の固定作業（あるいは固定を解除する作業）の邪魔になることを防止できる。
【００３０】
この実施形態では、パイプ他端部５ａは円筒状であり、ケーブル固定部３は、パイプ他端部５ａの中心軸線回り（パイプ他端部５ａの外周方向）で、パイプ他端部５ａに対する固定位置を自在に設定できる。また、パイプ他端部５ａに対するケーブル固定部３の固定手段として、ワイヤ状固定具１７を利用する場合は、パイプ他端部５ａとケーブル固定部３とを内側に収容するリング状としたワイヤ状固定具１７の緊締を、パイプ他端部５ａとケーブル固定部３とを強固に固定しない程度に緩めた状態であれば、ケーブル固定部３を、パイプ他端部５ａの中心軸線回り（パイプ他端部５ａの外周方向）に回転させることで、パイプ他端部５ａに対するケーブル固定部３の固定位置の設定、調整、あるいは変更を簡単に行える。ここで、パイプ他端部５ａは、該パイプ他端部５ａに対するケーブル固定部３の回転によって、固定面１４の向きを設定するための回転用取付部材として機能する。
【００３１】
この光成端箱１では、床上等に引き回したパイプ５の他端部５ａに対するケーブル固定部３の固定（取り付け）向きの設定によって、固定面１４の向きを自在に設定できるため、光成端箱１の設置場所への光ファイバケーブル８の引き込み方向に制約がある場合等でも、固定面１４の向きの設定によって、光ファイバケーブル８に無理な曲げを与えない等、光通信に悪影響を与えない条件を満たして、光ファイバケーブル８端末の固定を実現できる。特に、この光成端箱１では、パイプ他端部５ａに対するケーブル固定部３の固定（取り付け）向きの設定によって、固定面１４の向きを、水平方向に沿った向き（図３参照）、及び、鉛直方向に沿った向き（図４参照）のいずれにも設定できるため、例えば、光成端箱１の設置場所への光ファイバケーブル８の引き込みが、上から又は下からである場合（すなわち、鉛直方向に沿った方向である場合）でも、パイプ他端部５ａに対するケーブル固定部３の固定（取り付け）向きの設定によって、ケーブル固定部３の固定面１４を鉛直方向に沿った向きとすることで、ケーブル固定部３に対する光ファイバケーブル８端末の固定を簡単に実現できるなど、光ファイバケーブル８の様々な向きに幅広く対応して、光ファイバケーブル８端末の固定を実現できる。
さらに、この光成端箱１では、例えば、床上に引き回したパイプ５（可撓管）の曲げによって、床上におけるケーブル固定部３の設置位置や向きを設定することができるため、より幅広く光ファイバケーブル８の様々な向きに対応して、光ファイバケーブル８端末の固定を実現できる利点がある。
【００３２】
また、この光成端箱１では、ケーブル固定部３の横方向両側のパイプ固定台部１５内の何れか一方の選択によって、端末固定部１２及びテンションメンバ固定部１３の位置関係を簡単に反転させることができるし、さらに、図３、図４に例示したように、符号１５のパイプ固定台部以外に、このパイプ固定台部１５に対してケーブル固定部３の縦方向の位置がずらされているところにも、ワイヤ状固定具を使用してケーブル固定部３をパイプ他端部５ａに固定するためのパイプ固定台部（符号１５Ａ）が設けられている構成により、パイプ固定台部の選択だけで、パイプ他端部５ａに対するケーブル固定部３の固定位置の、ケーブル固定部３の縦方向における調整を簡単に行えるといった利点もある。但し、図３、図４では、パイプ固定台部１５Ａは、テンションメンバ固定台２２上に穿設されている孔（貫通孔）に通したワイヤ状固定具を利用して、テンションメンバ固定台２２にパイプ他端部５ａを押し付けるようにして固定する構造になっているが、これに限定されず、パイプ固定台部１５と同様に、固定部本体１１の一部分をパイプ固定台部として機能させるようにした構成や、鬼目付き把持部品等を利用した把持機構でパイプ他端部５ａを把持固定する構造等、各種構成が採用可能である。
【００３３】
図５は、本発明の第２の実施の形態による光成端箱１である。
図５において、図１〜４におけるような、パイプ５が備えられておらず、ケーブル固定部３を回転自在に支持する回転用取付部材としてブラケット（固定部取付部）４５が外装ケース４に設けられている。ブラケット４５がケーブル固定部３を回転自在に支持するので、ケーブル固定部３は、外装ケース４に対して、鉛直方向の向きを変更して取り付けることができる。
また、回転用取付部材としては、例えば、ケーブル固定部が取り付けられる受け部材が、外装ケースに設けられている軸受によって回転自在に支持されている構成のもの等も採用できる。この場合は、軸受または、外装ケースに対して受け部材をネジ等の固定手段で固定することで、ケーブル固定部を所望の向きで固定できる。
【００３４】
図６は、本発明の第３の実施形態による光成端箱１である。
図６（ａ）は、光成端箱１の概略平面図を示しており、図６（ｂ）は、光成端箱１の概略正面図を示している。
この実施形態において、外装ケース４の外側に、スライド用ガイドフレーム４６が取り付けられた構造の成端箱本体６となっている。外装ケース４は、スライド用ガイドフレーム４６に対し、スライド移動可能である。これにより、ケーブル固定部３の位置調整上、有利となる。
【００３５】
尚、本発明の実施の形態において、光成端箱１は、いわゆる水平設置型であるが、これに限定されず、壁等に取り付ける縦型の光成端箱１としても適用可能である。
又、固定部取付部５としては、パイプを使用したが、これに限定されず、中実の棒等を使用することも可能である。
又、外装ケース４のコネクタ取付壁４２と対向する他端部を構成する後壁４４側に、固定部取付部５としてのパイプを固定しているが、固定部取付部の取付位置は後壁４４側に限定されず、外装ケース４の何れの側壁側（側部側）であっても良い。
【図面の簡単な説明】
【００３６】
【図１】本発明の実施の形態による光成端箱の概略正面図である。
【図２】本発明の実施の形態による光成端箱の概略平面図である。
【図３】本発明の実施の形態によるケーブル固定部の詳細斜視図である。
【図４】本発明の実施の形態によるケーブル固定部の詳細斜視図である。
【図５】本発明の第２の実施の形態による光成端箱の概略平面図である。
【図６】本発明の第３の実施の形態による光成端箱の概略図である。
【図７】従来技術としての、ケーブル固定部を備えた外装ケースを示す図である。
【図８】従来技術としての、ケーブル固定部を備えた外装ケースを示す図である。
【符号の説明】
【００３７】
１‥‥光成端箱、３‥‥ケーブル固定部、４‥‥外装ケース、５‥‥固定部取付部、７‥‥光コネクタ、８‥‥光ファイバケーブル、８ａ‥‥光ファイバ、９‥‥光ファイバ、１４‥‥固定面、３１‥‥光ファイバ、４２‥‥コネクタ取付壁
【図１】
2005078033.tif 000003
【図２】
2005078033.tif 000004
【図３】
2005078033.tif 000005
【図４】
2005078033.tif 000006
【図５】
2005078033.tif 000007
【図６】
2005078033.tif 000008
【図７】
2005078033.tif 000009
【図８】
2005078033.tif 000010